(57)【特許請求の範囲】
【請求項１】
冷凍室を冷却する冷凍室用蒸発器と冷蔵室を冷却する冷蔵室用蒸発器とを有し、圧縮機にて圧縮された冷媒を第１減圧手段を介して前記冷凍室用蒸発器に、第２減圧手段を介して冷蔵室用蒸発器に分配供給することにより、各室を冷却して成る冷却貯蔵庫において、
前記冷凍室及び冷蔵室の温度に基づき、各室の温度が当該各室に対してそれぞれ設定された目標温度を含む所定の冷却温度範囲に入るよう前記各蒸発器への冷媒供給と前記圧縮機の運転を制御する制御手段を備え、
該制御手段は、前記冷凍室又は冷蔵室の温度が前記各冷却温度範囲から下に逸脱するまでは、前記圧縮機にて圧縮された冷媒を、前記第１及び第２減圧手段の双方から両方の蒸発器に同時に供給し、前記冷凍室又は冷蔵室の温度が前記各冷却温度範囲から下に逸脱した場合、当該逸脱した室を冷却する前記蒸発器への冷媒供給を停止し、他の室のみに冷媒を供給する状態に切り換えると共に、
前記両蒸発器に冷媒を供給している状態が所定時間継続された場合に冷却不良判定を実行し、
該冷却不良判定において、前記冷凍室の温度が当該冷凍室に対して設定された前記冷却温度範囲に入っており、前記冷蔵室の温度が当該冷蔵室に対して設定された前記冷却温度範囲から上に逸脱していると判定されたとき、前記冷凍室用蒸発器への冷媒供給を停止し、前記第２減圧手段を介して前記冷蔵室用蒸発器のみに冷媒を供給する冷蔵室優先冷却モードを実行すると共に、
前記冷蔵室の温度が当該冷蔵室に対して設定された前記冷却温度範囲に入っており、前記冷凍室の温度が当該冷凍室に対して設定された前記冷却温度範囲から上に逸脱していると判定されたとき、前記冷蔵室用蒸発器への冷媒供給を停止し、前記第１減圧手段を介して前記冷凍室用蒸発器のみに冷媒を供給する冷凍室優先冷却モードを実行することを特徴とする冷却貯蔵庫。
【請求項２】
前記制御手段は、前記各優先冷却モードが所定時間継続して実行されたこと、又は、各優先冷却モードの実行中に前記冷凍室又は冷蔵室のうちの何れかの温度が前記冷却温度範囲から下に逸脱したことの何れかが発生した場合、当該優先冷却モードを終了することを特徴とする請求項１に記載の冷却貯蔵庫。
【請求項３】
冷凍室を冷却する冷凍室用蒸発器と冷蔵室を冷却する冷蔵室用蒸発器とを有し、圧縮機にて圧縮された冷媒を第１減圧手段を介して前記冷凍室用蒸発器に、第２減圧手段を介して冷蔵室用蒸発器に分配供給することにより、各室を冷却して成る冷却貯蔵庫において、
前記冷凍室及び冷蔵室の温度に基づき、各室の温度が当該各室に対してそれぞれ設定された目標温度を含む所定の冷却温度範囲に入るよう前記各蒸発器への冷媒供給と前記圧縮機の運転を制御する制御手段を備え、
該制御手段は、前記冷凍室又は冷蔵室の温度が前記各冷却温度範囲から下に逸脱するまでは、前記圧縮機にて圧縮された冷媒を、前記第１及び第２減圧手段の双方から両方の蒸発器に同時に供給し、前記冷凍室又は冷蔵室の温度が前記各冷却温度範囲から下に逸脱した場合、当該逸脱した室を冷却する前記蒸発器への冷媒供給を停止し、他の室のみに冷媒を供給する状態に切り換えると共に、
前記両蒸発器に冷媒を供給している状態が所定時間継続された場合に冷却不良判定を実行し、
該冷却不良判定において、前記冷蔵室及び冷凍室の温度がそれぞれに対して設定された前記冷却温度範囲から上に逸脱していると判定されたとき、前記各室に対してそれぞれ設定された前記目標温度との偏差を比較し、
前記冷蔵室における前記目標温度との偏差が小さいと判定されたとき、前記冷凍室用蒸発器への冷媒供給を停止し、前記第２減圧手段を介して前記冷蔵室用蒸発器のみに冷媒を供給すると共に、前記冷凍室における前記目標温度との偏差が小さいと判定されたとき、前記冷蔵室用蒸発器への冷媒供給を停止し、前記第１減圧手段を介して前記冷凍室用蒸発器のみに冷媒を供給する偏差優先冷却モードを実行することを特徴とする冷却貯蔵庫。
【請求項４】
前記制御手段は、前記偏差優先冷却モードを所定時間継続して実行した場合、前記目標温度との偏差が大きい方の前記蒸発器に切り換えて冷媒を優先供給することを特徴とする請求項３に記載の冷却貯蔵庫。
【請求項５】
前記制御手段は、前記偏差優先冷却モードの実行中に前記冷凍室又は冷蔵室のうちの何れかの温度が前記冷却温度範囲から下に逸脱した場合、当該偏差優先冷却モードを終了することを特徴とする請求項３又は請求項４に記載の冷却貯蔵庫。
【請求項６】
前記制御手段により制御され、前記各蒸発器のうちの何れか一つのみに選択的に冷媒を供給する状態と、両方の蒸発器に同時に冷媒を供給する状態とを実現可能な三方弁を備えると共に、前記第１減圧手段及び前記第２減圧手段は、キャピラリチューブにより構成されていることを特徴とする請求項１乃至請求項５のうちの何れかに記載の冷却貯蔵庫。
【発明の詳細な説明】
【技術分野】
【０００１】
本発明は、圧縮機にて圧縮された冷媒をそれぞれ減圧手段を介して冷凍室用蒸発器と、冷蔵室用蒸発器に分配供給することにより冷凍室及び冷凍室をそれぞれ冷却してなる冷却貯蔵庫に関するものである。
【背景技術】
【０００２】
従来より、家庭用の冷蔵庫では、圧縮機と、凝縮器と、キャピラリチューブを介して接続された冷蔵室用蒸発器と、他のキャピラリチューブを介して接続された冷凍室用蒸発器とにて冷凍装置を構成する。そして、圧縮機から吐出された冷媒を凝縮器にて放熱した後、三方弁を介して一方のキャピラリチューブが接続された冷蔵室用蒸発器、若しくは、他方のキャピラリチューブが接続された冷凍室用蒸発器のそれぞれにおいて蒸発させ、圧縮機に帰還する冷凍サイクルを構成していた。
【０００３】
この場合、それぞれの蒸発器に接続される減圧手段としてのキャピラリチューブは、任意の口径、長さにて構成されており、これによって、それぞれの蒸発器における蒸発温度を設定し、それぞれ冷蔵室、冷凍室内を所定の温度帯に冷却する。
【０００４】
また、各冷蔵室、冷凍室内には、庫内温度を検出する庫内温度センサが設けられており、各室内がそれぞれに設定された冷却温度範囲となるように、三方弁及び圧縮機の制御が行われる（例えば、特許文献１参照）。
【先行技術文献】
【特許文献】
【０００５】
【特許文献１】特許第３９２２８９１号公報
【発明の概要】
【発明が解決しようとする課題】
【０００６】
上記特許文献１では、冷凍室用蒸発器と冷蔵室用蒸発器の何れにも同時に冷媒を流入させて同時に両者の蒸発器によって各室を冷却する同時モードにおいて、何れか一方の庫内温度が所定の交互冷却開始レベル温度、即ち、所定のＯＦＦ点温度に到達する（サーモオフとなる）と、当該同時モードを終了し、交互に冷媒を各蒸発器に流入させるモードへと変更する。
【０００７】
通常、適切な使用態様、即ち、庫内温度に対し著しく高い温度の物品を収容しない使用態様であったり、扉が完全閉鎖状態である場合には、所定時間経過後、何れか一方の庫内温度が所定の冷却温度範囲の下限温度に達し、サーモオフとなる。
【０００８】
しかしながら、適切な使用が行われていない場合、例えば、庫内温度に対し著しく高い温度の物品が収納された場合や、扉が不完全な状態で閉鎖された場合、若しくは、扉の開閉頻度が著しく多い場合では、庫内の高負荷、及び、外気侵入によって、継続して両蒸発器に冷媒が流入されることとなる。
【０００９】
係る状況となると、一方の庫内が著しい高負荷状態となることで、同時モードを終了できず、これによって、他方の庫内の温度上昇をも招来してしまう。このような不具合が継続すると、何れの庫内も所定の冷却温度範囲にまで冷却されないこととなり、継続した冷却不良が生じ、庫内の収容物品の温度が上昇し、品質低下を招来することとなる。
【００１０】
本発明は、従来の技術的課題を解決するためになされたものであり、適切な冷却不良判定を実施することで、冷凍室及び冷蔵室の温度上昇を早期に抑制することを実現する冷却貯蔵庫を提供する。
【課題を解決するための手段】
【００１１】
上記課題を解決するために、請求項１の発明の冷却貯蔵庫は、冷凍室を冷却する冷凍室用蒸発器と冷蔵室を冷却する冷蔵室用蒸発器とを有し、圧縮機にて圧縮された冷媒を第１減圧手段を介して冷凍室用蒸発器に、第２減圧手段を介して冷蔵室用蒸発器に分配供給することにより、各室を冷却して成るものであって、冷凍室及び冷蔵室の温度に基づき、各室の温度が当該各室に対してそれぞれ設定された目標温度を含む所定の冷却温度範囲に入るよう各蒸発器への冷媒供給と圧縮機の運転を制御する制御手段を備え、この制御手段は、冷凍室又は冷蔵室の温度が各冷却温度範囲から下に逸脱するまでは、圧縮機にて圧縮された冷媒を、第１及び第２減圧手段の双方から両方の蒸発器に同時に供給し、冷凍室又は冷蔵室の温度が各冷却温度範囲から下に逸脱した場合、当該逸脱した室を冷却する蒸発器への冷媒供給を停止し、他の室のみに冷媒を供給する状態に切り換えると共に、両蒸発器に冷媒を供給している状態が所定時間継続された場合に冷却不良判定を実行し、この冷却不良判定において、冷凍室の温度が当該冷凍室に対して設定された冷却温度範囲に入っており、冷蔵室の温度が当該冷蔵室に対して設定された冷却温度範囲から上に逸脱していると判定されたとき、冷凍室用蒸発器への冷媒供給を停止し、第２減圧手段を介して冷蔵室用蒸発器のみに冷媒を供給する冷蔵室優先冷却モードを実行すると共に、冷蔵室の温度が当該冷蔵室に対して設定された冷却温度範囲に入っており、冷凍室の温度が当該冷凍室に対して設定された冷却温度範囲から上に逸脱していると判定されたとき、冷蔵室用蒸発器への冷媒供給を停止し、第１減圧手段を介して冷凍室用蒸発器のみに冷媒を供給する冷凍室優先冷却モードを実行することを特徴とする。
【００１２】
請求項２の発明の冷却貯蔵庫は、上記発明において、制御手段は、各優先冷却モードが所定時間継続して実行されたこと、又は、各優先冷却モードの実行中に冷凍室又は冷蔵室のうちの何れかの温度が冷却温度範囲から下に逸脱したことの何れかが発生した場合、当該優先冷却モードを終了することを特徴とする。
【００１３】
請求項３の発明の冷却貯蔵庫は、冷凍室を冷却する冷凍室用蒸発器と冷蔵室を冷却する冷蔵室用蒸発器とを有し、圧縮機にて圧縮された冷媒を第１減圧手段を介して冷凍室用蒸発器に、第２減圧手段を介して冷蔵室用蒸発器に分配供給することにより、各室を冷却して成るものであって、冷凍室及び冷蔵室の温度に基づき、各室の温度が当該各室に対してそれぞれ設定された目標温度を含む所定の冷却温度範囲に入るよう各蒸発器への冷媒供給と圧縮機の運転を制御する制御手段を備え、この制御手段は、冷凍室又は冷蔵室の温度が各冷却温度範囲から下に逸脱するまでは、圧縮機にて圧縮された冷媒を、第１及び第２減圧手段の双方から両方の蒸発器に同時に供給し、冷凍室又は冷蔵室の温度が各冷却温度範囲から下に逸脱した場合、当該逸脱した室を冷却する蒸発器への冷媒供給を停止し、他の室のみに冷媒を供給する状態に切り換えると共に、両蒸発器に冷媒を供給している状態が所定時間継続された場合に冷却不良判定を実行し、この冷却不良判定において、冷蔵室及び冷凍室の温度がそれぞれに対して設定された冷却温度範囲から上に逸脱していると判定されたとき、各室に対してそれぞれ設定された前記目標温度との偏差を比較し、冷蔵室における目標温度との偏差が小さいと判定されたとき、冷凍室用蒸発器への冷媒供給を停止し、第２減圧手段を介して冷蔵室用蒸発器のみに冷媒を供給すると共に、冷凍室における目標温度との偏差が小さいと判定されたとき、冷蔵室用蒸発器への冷媒供給を停止し、第１減圧手段を介して冷凍室用蒸発器のみに冷媒を供給する偏差優先冷却モードを実行することを特徴とする。
【００１４】
請求項４の発明の冷却貯蔵庫は、上記発明において、制御手段は、偏差優先冷却モードを所定時間継続して実行した場合、目標温度との偏差が大きい方の蒸発器に切り換えて冷媒を優先供給することを特徴とする。
【００１５】
請求項５の発明の冷却貯蔵庫は、請求項３又は請求項４の発明において、制御手段は、偏差優先冷却モードの実行中に冷凍室又は冷蔵室のうちの何れかの温度が冷却温度範囲から下に逸脱した場合、当該偏差優先冷却モードを終了することを特徴とする。
【００１６】
請求項６の発明の冷却貯蔵庫は、上記各発明において、制御手段により制御され、各蒸発器のうちの何れか一つのみに選択的に冷媒を供給する状態と、両方の蒸発器に同時に冷媒を供給する状態とを実現可能な三方弁を備えると共に、第１減圧手段及び第２減圧手段は、キャピラリチューブにより構成されていることを特徴とする。
【発明の効果】
【００１７】
請求項１の発明によれば、冷凍室を冷却する冷凍室用蒸発器と冷蔵室を冷却する冷蔵室用蒸発器とを有し、圧縮機にて圧縮された冷媒を第１減圧手段を介して冷凍室用蒸発器に、第２減圧手段を介して冷蔵室用蒸発器に分配供給することにより、各室を冷却して成る冷却貯蔵庫において、冷凍室及び冷蔵室の温度に基づき、各室の温度が当該各室に対してそれぞれ設定された目標温度を含む所定の冷却温度範囲に入るよう各蒸発器への冷媒供給と圧縮機の運転を制御する制御手段を備え、この制御手段は、冷凍室又は冷蔵室の温度が各冷却温度範囲から下に逸脱するまでは、圧縮機にて圧縮された冷媒を、第１及び第２減圧手段の双方から両方の蒸発器に同時に供給し、冷凍室又は冷蔵室の温度が各冷却温度範囲から下に逸脱した場合、当該逸脱した室を冷却する蒸発器への冷媒供給を停止し、他の室のみに冷媒を供給する状態に切り換えると共に、両蒸発器に冷媒を供給している状態が所定時間継続された場合に冷却不良判定を実行することにより、各室が著しい高負荷状態となっているか否かを適切に判別することが可能となる。
【００１８】
これにより、一方の室内が著しい高負荷状態となることで、両蒸発器に冷媒を供給している状態を終了することができず、他方の室内の温度上昇をも招来してしまう不都合が生じていること、若しくは生じる傾向にあることを、早期に判定することができる。
【００１９】
これに加えて、請求項１の発明によれば、この冷却不良判定において、冷凍室の温度が当該冷凍室に対して設定された冷却温度範囲に入っており、冷蔵室の温度が当該冷蔵室に対して設定された冷却温度範囲から上に逸脱していると判定されたとき、冷凍室用蒸発器への冷媒供給を停止し、第２減圧手段を介して冷蔵室用蒸発器のみに冷媒を供給する冷蔵室優先冷却モードを実行し、冷蔵室の温度が当該冷蔵室に対して設定された冷却温度範囲に入っており、冷凍室の温度が当該冷凍室に対して設定された冷却温度範囲から上に逸脱していると判定されたとき、冷蔵室用蒸発器への冷媒供給を停止し、第１減圧手段を介して冷凍室用蒸発器のみに冷媒を供給する冷凍室優先冷却モードを実行することで、早期に各室内の冷却不良を改善することが可能となる。
【００２０】
これにより、何れの室内をもそれぞれに設定された冷却温度範囲内に温度制御することができ、適切な温度環境を形成することが可能となる。
【００２１】
また、制御手段は、冷凍室又は冷蔵室の温度が各冷却温度範囲から下に逸脱した場合、当該逸脱した室を冷却する蒸発器への冷媒供給を停止するので、冷却温度範囲から下に逸脱した蒸発器への冷媒供給を停止して、冷却温度範囲から下に逸脱していない他方の室の蒸発器へのみ冷媒供給を供給することができる。
【００２２】
これにより、冷凍室及び冷蔵室の何れをも早期に冷却温度範囲の下限値まで冷却させることが可能となり、冷えすぎを防止した適切な冷却制御を実現することができる。
【００２３】
また、請求項２の発明の如く各優先冷却モードが所定時間継続して実行されたこと、又は、各優先冷却モードの実行中に冷凍室又は冷蔵室のうちの何れかの温度が冷却温度範囲から下に逸脱したことの何れかが発生した場合、当該優先冷却モードを終了することにより、永続的に一方の蒸発器にのみ冷媒が供給され、他方の蒸発器に冷媒が供給されない不都合を解消することができる。これにより、冷凍室及び冷蔵室内の適切な冷却制御を実現することができる。
【００２４】
また、請求項３の発明によれば、冷却不良判定において、冷蔵室及び冷凍室の温度がそれぞれに対して設定された冷却温度範囲から上に逸脱していると判定されたとき、各室に対してそれぞれ設定された目標温度との偏差を比較し、冷蔵室における目標温度との偏差が小さいと判定されたとき、冷凍室用蒸発器への冷媒供給を停止し、第２減圧手段を介して冷蔵室用蒸発器のみに冷媒を供給すると共に、冷凍室における目標温度との偏差が小さいと判定されたとき、冷蔵室用蒸発器への冷媒供給を停止し、第１減圧手段を介して冷凍室用蒸発器のみに冷媒を供給する偏差優先冷却モードを実行することにより、先ず初めに偏差の小さい方の蒸発器にのみ冷媒を優先供給して対応する室内の温度を冷却温度範囲内にまで冷却させることができる。
【００２５】
これにより、早期に冷却温度範囲にまで冷却しやすい傾向の蒸発器のみに冷媒を優先して供給することで、当該室内の冷却不良を早期に改善することができる。そのため、例えば、一方の室内が著しい高負荷状態となることで、それに影響されて他方の室内をも冷却不良が生じている場合であっても、影響されて冷却不良となっている蒸発器にのみ優先的に冷媒供給することで、冷凍室及び冷蔵室が共に継続した冷却不良を生じる不都合を早期に解消することが可能となる。
【００２６】
請求項４の発明によれば、上記請求項３の発明に加えて、制御手段は、偏差優先冷却モードを所定時間継続して実行した場合、目標温度との偏差が大きい方の蒸発器に切り換えて冷媒を優先供給することにより、目標温度との偏差が小さい方の蒸発器への冷媒の優先供給によって、対応する室内の温度が冷却温度範囲から下に逸脱する前であっても、所定時間経過後、他方の目標温度との偏差が大きい方の蒸発器のみへの冷媒の優先供給を実行することができる。
【００２７】
これにより、偏差が大きい方の蒸発器にも冷媒を優先供給することで対応する室内の温度を冷却温度範囲内にまで冷却させることができ、対応する室内の冷却不良を早期に改善させることができる。
【００２８】
また、請求項５の発明の如く偏差優先冷却モードの実行中に冷凍室又は冷蔵室のうちの何れかの温度が冷却温度範囲から下に逸脱した場合、当該偏差優先冷却モードを終了することにより、永続的に一方の蒸発器にのみ冷媒が供給され、他方の蒸発器に冷媒が供給されない不都合を解消することができる。これにより、冷凍室及び冷蔵室内の適切な冷却制御を実現することができる。
【００２９】
請求項６の発明によれば、上記各発明に加えて、制御手段により制御され、各蒸発器のうちの何れか一方のみに選択的に冷媒を供給する状態と、双方の蒸発器に同時に冷媒を供給する状態とを実現可能な三方弁を備えると共に、第１減圧手段及び第２減圧手段は、キャピラリチューブにより構成されていることにより、各蒸発器用の電子膨張弁を使用しないことから、各蒸発器への冷媒流入の偏りが発生しやすい構成にて、特に、上記各発明が有効なものとなる。
【図面の簡単な説明】
【００３０】
【図１】本発明を適用した冷却貯蔵庫の扉を開放した状態の斜視図である。
【図２】図１の冷却貯蔵庫の縦断側面図である。
【図３】図１の冷却貯蔵庫の冷媒回路図である。
【図４】制御装置の電気ブロック図である。
【図５】冷却運転制御のフローチャートである。
【図６】冷却不良判定のフローチャートである。
【図７】優先冷却モードのフローチャートである。
【図８】フローチャートである。
【図９】テーブルである。
【図１０】タイマテーブルである。
【図１１】正常冷却状態の各室の温度変化を示す図である。
【図１２】正常冷却状態の各室の温度変化を示す図である。
【図１３】冷却不良判定結果（i）の状態の各室の温度変化を示す図である。
【図１４】冷却不良判定結果（ii）の状態の各室の温度変化を示す図である。
【図１５】冷却不良判定結果（iii）の状態の各室の温度変化を示す図である。
【図１６】冷却不良判定結果（iv）の状態の各室の温度変化を示す図である。
【発明を実施するための形態】
【００３１】
以下、本発明の実施の形態について詳細に説明する。図１は本発明を適用した冷却貯蔵庫１の扉を開放した状態の斜視図を示している。実施例の冷却貯蔵庫１は、ホテルやレストランの厨房などに設置される縦型業務用冷凍冷蔵庫であり、前面に開口する断熱箱体２により構成されている。
【００３２】
本発明における冷却貯蔵庫１は、断熱箱体２内を断熱壁２Ａ、２Ｂにて区画することにより冷凍室３と冷蔵室４とが形成されている。本実施例では、断熱箱体２の上部を断熱壁２Ａにて左右に区画し、断熱壁２Ａにて区画された一側（この場合図１の向かって左側）を更に断熱壁２Ｂにて上下に区画することにより、断熱箱体２内の一側上部が冷凍室３、それ以外の他側上部から下部全域にわたって連通した庫内が冷蔵室４と、相互に冷気の流通が不能に構成される。
【００３３】
そして、冷凍室３の前面開口は、断熱箱体２の一側上部に枢支された断熱扉８にて開閉自在に閉塞されると共に、冷蔵室４の前面開口は、断熱箱体２の他側上部、他側下部、一側下部のそれぞれに独立して枢支された各断熱扉９にて開閉自在に閉塞される。これにより、断熱箱体２の前面開口は、上下に設けられた二組の観音開き式の扉８、９、９、９にて開閉自在に閉塞されることとなる。尚、図中１０は、断熱箱体２の前面開口部を上下に区画し、扉８、９裏面と当接して密着させる中仕切である。
【００３４】
冷凍室３の上部には、冷却装置Ｒを構成する冷凍室用蒸発器５が配設されており、この冷凍室用蒸発器５及びこの近傍に取り付けられる図示しない冷凍室用送風機により、冷凍室３内は所定の冷凍冷却温度範囲に冷却される。また、冷蔵室４の上部には、同じく冷却装置Ｒを構成する冷蔵室用蒸発器６が配設されており、この冷蔵室用蒸発器６及びこの近傍に取り付けられる冷蔵室用送風機７により、冷蔵室４内は所定の冷蔵冷却温度範囲に冷却される。
【００３５】
尚、冷凍室３、冷蔵室４の配置や容積比率は、これに限定されるものではなく、相互に冷気の流通が不能とされる構成とされ、冷凍室３及び冷蔵室４のそれぞれに冷凍室用蒸発器５及び冷蔵室用蒸発器６が配設される冷却貯蔵庫であればよい。
【００３６】
ここで、図２は断熱箱体２の他側に位置する冷蔵室４側の冷却貯蔵庫１の縦断側面図を示しており、当該図中において冷蔵室側蒸発器６及び送風機７の下方に取り付けられる２０は、冷蔵室側蒸発器６が取り付けられる冷却室２１と冷蔵室４とを区画するための仕切板である。この仕切板２０は後方が開口されており、送風機７によって冷蔵室４内から冷却室２１に吸い込まれた冷気は、冷蔵室側蒸発器６と熱交換された後、冷却室２１後方から冷蔵室４内に吐出される。尚、当該仕切板２０及び冷却室２１は、図示していないが、冷凍室３においても同様の構成とされる。
【００３７】
そして、断熱箱体２の天面には、前面、両側面、後面を構成するパネル１１にて機械室１２が画成されており、この機械室１２内には、上記各蒸発器５、６と共に冷却装置Ｒを構成する圧縮機１３や凝縮器１４、更には、凝縮器用送風機１５等が配設される。
【００３８】
ここで、図３の冷媒回路図を参照して冷却貯蔵庫１の冷凍サイクルについて説明する。この冷媒回路１６は圧縮機１３の冷媒吐出側に凝縮器１４が接続され、この凝縮器１４の冷媒下流側には、上記冷凍室３を冷却する冷凍室用蒸発器５と冷蔵室４を冷却する冷蔵室用蒸発器６がそれぞれ減圧手段としてのキャピラリチューブ（第１減圧手段）１８又はキャピラリチューブ（第２減圧手段）１９を介して接続されている。各キャピラリチューブ１８、１９は、それぞれ冷凍室３又は冷蔵室４における蒸発温度を考慮し、任意の口径、長さのものに選定される。
【００３９】
本実施例では、各蒸発器５、６への冷媒供給を制御する制御手段を構成する三方弁１７によって圧縮機１３にて圧縮された冷媒をキャピラリチューブ１８を介して冷凍室用蒸発器５若しくは、キャピラリチューブ１９を介して冷蔵室用蒸発器６に分配供給可能とされる。即ち、三方弁１７を開度制御することによって、各蒸発器５、６の内の何れか一方のみに選択的に冷媒を供給する状態と、双方の蒸発器５、６に冷媒を供給する状態とを選択的に実現可能とされる。
【００４０】
また、本実施例では、三方弁１７によって、各蒸発器５、６の内の何れか一方のみに選択的に冷媒を供給された場合、必ず、供給された側の蒸発器が所定時間内に冷凍室３又は冷蔵室４の庫内温度が冷却温度範囲を下に逸脱し、逸脱した方の蒸発器５又は６への冷媒の流入を停止し（サーモオフ）する設定とされているものとする。
【００４１】
そして、各蒸発器５、６の冷媒流出側に接続された冷媒配管２２、２３は、対応するそれぞれのキャピラリチューブ１８又は１９と熱交換可能に配設されて、その端部は、合流部２４に接続される。当該合流部２４には、両蒸発器５、６から流出され、合流された冷媒を圧縮機１３に帰還させる吸込配管２５が接続される。
【００４２】
次に、図４の電気ブロック図を参照して冷却貯蔵庫１の制御装置４０について説明する。制御装置４０は汎用のマイクロコンピュータにより構成されており、記憶手段としてのメモリ２６、時限手段としてのタイマ２７等が内蔵されている。
【００４３】
そして、この入力側には、冷凍室３、冷蔵室４の目標温度や当該目標温度を含む冷却温度範囲を任意に設定可能とするコントロールパネル（入力手段）２８と、冷凍室３内の温度を検出する冷凍室用温度センサ（冷凍室温度検出手段）２９と、冷蔵室４内の温度を検出する冷蔵室用温度センサ（冷蔵室温度検出手段）３０、外気温度センサ（外気温度検出手段）３２等が接続されている。尚、コントロールパネル２８は、上記以外にも各種設定を変更することが可能である。
【００４４】
また、制御装置４０の出力側には、圧縮機１３の圧縮機モータ１３Ｍと、三方弁１７と、各種送風機７、７、１５等が接続されている。本実施例では、圧縮機モータ１３Ｍは、インバータ装置３１を介して接続されており、これによって、圧縮機モータ１３Ｍの運転周波数を任意に、リニアに制御可能とされる。
【００４５】
以下、図５乃至図８のフローチャート及び図９、図１０のテーブル、図１１乃至図１６の各場合における温度変化を示す図を参照して本実施例における冷却貯蔵庫１の冷却動作について説明する。
【００４６】
（１）通常モード
制御装置４０は、電源が投入されると冷却運転を開始する。図５のフローチャートに示すように、制御装置４０は、当初、通常モードに設定されており（ステップＳ１）、圧縮機１３を運転する。該通常モードでは、制御装置４０は、冷凍室３及び冷蔵室４のそれぞれが冷却温度範囲となるように三方弁１７の制御を行う。
【００４７】
即ち、コントロールパネル２８にて冷凍室３の目標温度（ＴＦ目標温度）が設定されると、当該ＴＦ目標温度を含む該ＴＦ目標温度の上下の範囲で冷凍冷却温度範囲が設定される。この場合、冷凍冷却温度範囲は、冷凍室下限温度ＴＦＬ（ＴＦ目標温度−ＴＦｄｉｆ）＜ＴＦ目標温度＜冷凍室上限温度ＴＦＨ（ＴＦ目標温度＋ＴＦｄｉｆ）の範囲となる。同様にコントロールパネル２８にて冷蔵室４の目標温度（ＴＲ目標温度）が設定されると、当該ＴＲ目標温度を含む該ＴＦ目標温度の上下の範囲で冷蔵冷却温度範囲が設定される。この場合、冷蔵冷却温度範囲は、冷蔵室下限温度ＴＲＬ（ＴＲ目標温度−ＴＲｄｉｆ）＜ＴＲ目標温度＜冷蔵室上限温度ＴＲＨ（ＴＲ目標温度＋ＴＲｄｉｆ）の範囲となる。何れのディファレンシャル温度ＴＦｄｉｆ及びＴＲｄｉｆも、コントロールパネル２８にて詳細に設定することも可能とされる。
【００４８】
冷凍室３内の庫内温度及び冷蔵室４内の庫内温度何れか一方が、それぞれの冷却温度範囲から下に逸脱するまでは、三方弁１７の開度を制御することにより、双方の蒸発器、即ち、冷凍室用蒸発器５と冷蔵室用蒸発器６に冷媒を供給する状態、両流しの状態とする。
【００４９】
そして、冷凍室３又は冷蔵室４の庫内温度が冷却温度範囲を下に逸脱すると、即ち、冷凍室現在温度ＴＦが冷凍室下限温度ＴＦＬに達する（ＴＦ≦ＴＦＬ）、若しくは、冷蔵室現在温度ＴＲが冷蔵室下限温度ＴＲＬに達する（ＴＲ≦ＴＲＬ）と、制御装置４０は、当該下限温度に達した方の蒸発器５又は６への冷媒の流入を停止し（サーモオフ）、当該下限温度に達していない方の蒸発器５又は６のみに冷媒を流入させるように三方弁１７を切り換える。尚、両者が下限温度に達した場合には、圧縮機１３を停止する。
【００５０】
このようにして、圧縮機１３から吐出された高温冷媒は、凝縮器１４にて凝縮された後、三方弁１７を経て冷凍室用蒸発器５側のキャピラリチューブ１８と、冷蔵室用蒸発器６側のキャピラリチューブ１９とに分流されて流入する。各キャピラリチューブ１８、１９にて減圧された冷媒は、それぞれ対応する蒸発器５、６に流入し、そこで蒸発して冷却作用を発揮し、冷凍室３内及び冷蔵室４内をそれぞれ冷却する。
【００５１】
各蒸発器５、６にて蒸発した低温冷媒は、蒸発器５、６から流出した後、各冷媒配管２２、２３のそれぞれが比較的高い温度の冷媒が流れるキャピラリチューブ１８、１９と熱交換して、気化された状態で合流部２４にて合流し、吸込配管２５を介して圧縮機１３に帰還する。
【００５２】
当該通常モードでは、制御装置４０は、圧縮機１３の運転周波数の制御は、冷凍室３、冷蔵室４の現在温度と目標温度との偏差ｅに基づくＰＩＤ演算結果によって行う。具体的には、制御装置４０は、所定のサンプリング周期にて、冷凍室用温度センサ２９にて冷凍室３の庫内温度（冷凍室現在温度）ＴＦと、冷蔵室用温度センサ３０にて冷蔵室４の庫内温度（冷蔵室現在温度）ＴＲを検出する。
【００５３】
そして、制御装置４０は、検出した冷凍室現在温度ＴＦと、予めコントロールパネル２８にて設定された冷凍室３の設定温度、即ち、冷凍目標温度（以下、ＴＦ目標温度と称する。）との偏差ｅＦに基づくＰＩＤ演算で制御量ＱＦを算出する。同様に、検出した冷蔵室現在温度ＴＲと、コントロールパネルにて設定された冷蔵室４の設定温度、即ち、冷蔵目標温度（以下、ＴＲ目標温度と称する。）との偏差ｅＲに基づくＰＩＤ演算で制御量ＱＲを算出する。制御装置４０は、算出されたこれらの制御量ＱＦと制御量ＱＲとを比較し、大きい方の制御量に基づいて圧縮機１３の周波数の操作量を決定し、周波数制御を行う。
【００５４】
上記通常モードにおいて、制御装置４０は、三方弁１７を両流しに切り換えた（ステップＳ２）となった場合、ステップＳ３に進み、タイマ２７によりタイマカウンタＡをスタートさせる。そして、ステップＳ４に進み、当該タイマカウンタＡが予めコントロールパネル２８にて設定された冷却不良判定時間に達したか否かを判断し、達していない場合には、ステップＳ５に進む。尚、この冷却不良判定時間は、冷却不良状態が生じたか否かを判断するのに適した時間として、例えば、０〜９９×１０分で設定可能とされる。ここでは一例として冷却不良判定時間を６０分として説明する。
【００５５】
ステップＳ５において、制御装置４０は、冷凍室用蒸発器５又は冷蔵室用蒸発器６の何れかを三方弁１７によって冷媒の流入を停止（サーモオフ）した場合には、ステップＳ６に進み、上記タイマカウンタＡをリセットしてステップＳ１に戻る。他方、ステップＳ５においてサーモオフしていない場合には、ステップＳ４に戻る。
【００５６】
通常、冷却不良原因が生じていない場合、この冷却不良判定時間が経過するまでの間、上記圧縮機１３と三方弁１７の制御により、冷凍室現在温度ＴＦ及び冷蔵室現在温度ＴＲは、図１１又は図１２のように変化する。図１１は冷凍室３が冷蔵室４内よりも早く冷却された場合、図１２は冷蔵室４が冷凍室３よりも早く冷却された場合について示している。
【００５７】
図１１の場合、当初冷凍室現在温度ＴＦ、冷蔵室現在温度ＴＲは、何れも冷却温度範囲よりも高く、冷却運転が行われることで次第に低下していき、冷却温度範囲内、即ち、冷凍室現在温度ＴＦ＜冷凍室上限温度ＴＦＨ、又は、冷蔵室現在温度ＴＲ＜冷蔵室上限温度ＴＲＨとなる。この場合、冷凍室３が冷蔵室４よりも早く冷却されるため、冷蔵室現在温度ＴＲが冷蔵室下限温度ＴＲＬ（この場合ＴＲ目標温度）に達する以前に、冷凍室現在温度ＴＦが冷凍室下限温度ＴＦＬに達し、サーモオフとなる。これにより、冷凍室現在温度ＴＦがＴＦ目標温度よりもＴＦｄｉｆだけ低い冷凍室下限温度ＴＦＬに達することで、三方弁１７が両蒸発器５、６に冷媒を供給する状態から、冷蔵室用蒸発器６側にのみに選択的に冷媒を供給する状態に変更させる。
【００５８】
これによって、冷凍室用蒸発器５への冷媒供給が停止されることで、冷凍室３内は、外気温度等の影響により次第に上昇していき、冷蔵室用蒸発器６にこれまで冷凍室用蒸発器５に供給されていた冷媒をも供給されることで、急速に冷却される。従って、冷凍室３及び冷蔵室４は、それぞれ設定された冷却温度範囲内となるように、温度制御される。
【００５９】
図１２の場合、当初冷凍室現在温度ＴＦ、冷蔵室現在温度ＴＲは、何れも冷却温度範囲よりも高く、冷却運転が行われることで次第に低下していき、冷却温度範囲内、即ち、冷凍室現在温度ＴＦ＜冷凍室上限温度ＴＦＨ、又は、冷蔵室現在温度ＴＲ＜冷蔵室上限温度ＴＲＨとなる。この場合、冷蔵室４が冷凍室３よりも早く冷却されるため、冷凍室現在温度ＴＦが冷凍室下限温度ＴＦＬ（この場合ＴＦ目標温度）に達する以前に、冷蔵室現在温度ＴＲが冷蔵室下限温度ＴＲＬに達し、サーモオフとなる。これにより、冷蔵室現在温度ＴＲがＴＲ目標温度よりもＴＲｄｉｆだけ低い冷蔵室下限温度ＴＲＬに達することで、三方弁１７が両蒸発器５、６に冷媒を供給する状態から、冷凍室用蒸発器５側にのみに選択的に冷媒を供給する状態に変更させる。
【００６０】
これによって、冷蔵室用蒸発器６への冷媒供給が停止されることで、冷蔵室４内は、外気温度等の影響により次第に上昇していき、冷凍室用蒸発器５にこれまで冷蔵室用蒸発器６に供給されていた冷媒をも供給されることで、急速に冷却される。従って、冷凍室３及び冷蔵室４は、それぞれ設定された冷却温度範囲内となるように、温度制御される。
【００６１】
図１１、図１２の何れも場合であっても、冷却不良判定時間が経過するまでに、冷凍室用蒸発器５又は冷蔵室用蒸発器６の何れかがサーモオフとなり、冷媒の流入が停止されるため、ステップＳ１からステップＳ６を繰り返すこととなる。
【００６２】
一方、何らかの原因によって冷却不良が生じている場合に、冷却不良判定時間が経過する以前に何れもサーモオフとならない。この場合、制御装置４０は両蒸発器５、６に冷媒を供給している状態が所定の冷却不良判定時間継続されたものと判断し、ステップＳ５からステップＳ７に進み、冷却不良判定を実行する。
【００６３】
（２）冷却不良判定
ここで、冷却不良判定について図６のフローチャートを参照して説明する。この冷却不良判定では、冷凍室現在温度ＴＦ及び冷蔵室現在温度ＴＲが、それぞれの冷凍冷却温度範囲内、及び／又は、冷蔵冷却温度範囲内であるか、否かについて具体的に判断する。
【００６４】
先ず、制御装置４０は、ステップＳ８において、冷凍室現在温度ＴＦが冷凍冷却温度範囲内（冷凍室下限温度ＴＦＬ（ＴＦ目標温度−ＴＦｄｉｆ）＜ＴＦ＜冷凍室上限温度ＴＦＨ（ＴＦ目標温度＋ＴＦｄｉｆ））であるか否かを判断する。冷凍室現在温度ＴＦが冷凍冷却温度範囲内である場合には、ステップＳ９に進み、範囲を逸脱している場合にはステップＳ１０に進む。
【００６５】
例えば、図１３、図１４の場合には、冷凍室現在温度ＴＦは、冷凍冷却温度範囲内にあるため、ステップＳ９に進む。このステップＳ９では、制御装置は、冷蔵室現在温度ＴＲが冷蔵冷却温度範囲内（冷蔵室下限温度ＴＲＬ（ＴＲ目標温度−ＴＲｄｉｆ）＜ＴＲ目標温度＜冷蔵室上限温度ＴＲＨ（ＴＲ目標温度＋ＴＲｄｉｆ））であるか否かを判断する。
【００６６】
図１３の場合、冷蔵室現在温度ＴＲは、冷蔵冷却温度範囲内にあるため、ステップＳ１１に進み、冷却不良判定結果（i）となる。図１４の場合、冷蔵室現在温度ＴＲは、冷蔵冷却温度範囲から上に逸脱しているため、ステップＳ１２に進み、冷却不良判定結果（ii）となる。
【００６７】
他方、図１５、１６の場合には、上記ステップＳ８において、冷凍室現在温度ＴＦが冷凍冷却温度範囲（冷凍室下限温度ＴＦＬ（ＴＦ目標温度−ＴＦｄｉｆ）＜ＴＦ＜冷凍室上限温度ＴＦＨ（ＴＦ目標温度＋ＴＦｄｉｆ））から上に逸脱しているため、ステップＳ１０に進む。
【００６８】
このステップＳ１０では、制御装置は、冷蔵室現在温度ＴＲが冷蔵冷却温度範囲内（冷蔵室下限温度ＴＲＬ（ＴＲ目標温度−ＴＲｄｉｆ）＜ＴＲ目標温度＜冷蔵室上限温度ＴＲＨ（ＴＲ目標温度＋ＴＲｄｉｆ））であるか否かを判断する。
【００６９】
図１５の場合、冷蔵室現在温度ＴＲは、冷蔵冷却温度範囲内にあるため、ステップＳ１３に進み、冷却不良判定結果（iii）となる。図１６の場合、冷蔵室現在温度ＴＲは、冷蔵冷却温度範囲から上に逸脱しているため、ステップＳ１４に進み、冷却不良判定結果（iv）となる。以下、それぞれの冷却不良判定結果の場合に分けて、以後の冷却制御について説明する。
【００７０】
（３）冷却不良判定結果（i）
図１３に示すように冷凍室現在温度ＴＦ及び冷蔵室現在温度ＴＲの何れもがそれぞれの冷却温度範囲内にあるため、冷却不良となっていない。そのため、冷却不良判定結果（i）（ステップＳ１１）の場合、制御装置４０は、図５におけるステップＳ１５に進み、三方弁１７の開度を変えることなく継続して、双方の蒸発器５、６に冷媒を供給する状態を所定時間、維持する。
【００７１】
その後、制御装置４０は、ステップＳ１６において、冷凍室用蒸発器５又は冷蔵室用蒸発器６の何れかを三方弁１７によって冷媒の流入を停止（サーモオフ）したか否かを判断する。双方の蒸発器５、６への冷媒供給継続動作によって、所定時間内に、冷凍室３又は冷蔵室４の庫内温度が冷却温度範囲を下に逸脱した場合、制御装置４０は、当該下限温度に達した方の蒸発器５又は６への冷媒の流入を停止し（サーモオフ）、当該下限温度（冷凍室下限温度ＴＦＬ又は冷蔵室下限温度ＴＲＬ）に達していない方の蒸発器５又は６のみに冷媒を流入させるように三方弁１７を切り換える。
【００７２】
そして、サーモオフした場合には、制御装置４０は、ステップＳ１７に進み、上記タイマカウンタＡをリセットしてステップＳ１に戻る。他方、ステップＳ１６において、所定時間内にサーモオフしなかった場合には、再度ステップＳ７に戻り、再度冷却不良判定を実行する。
【００７３】
（４）冷却不良判定結果（ii）（iii）
図１４の場合、冷凍室現在温度ＴＦは、冷凍冷却温度範囲内にあり、冷蔵室現在温度ＴＲは、冷蔵冷却温度範囲から上に逸脱している。この状態が長く維持されると、冷凍室現在温度ＴＦが冷凍冷却温度範囲を下に逸脱、即ち、冷凍室下限温度ＴＦＬに達しない限り、冷凍室用蒸発器５への冷媒供給が停止されず、冷蔵室用蒸発器６のみに冷媒を流入させる積極的な冷蔵室冷却が行われない。そのため、冷蔵室現在温度ＴＲが長い時間冷蔵冷却温度範囲を上に逸脱した状態が継続してしまい、当該冷蔵室４の冷却不良を招来する。
【００７４】
そのため、冷却不良判定結果（ii）（ステップＳ１２）の場合、制御装置４０は、図５におけるステップＳ１８に進み、三方弁１７の開度を双方の蒸発器５、６に冷媒を供給する状態から、冷蔵室用蒸発器６のみに選択的に冷媒を供給する冷蔵室冷却を優先することとし、ステップＳ２０に進んで、冷蔵室優先冷却モードを実行する。
【００７５】
図１５の場合、冷蔵室現在温度ＴＲは、冷蔵冷却温度範囲内にあり、冷凍室現在温度ＴＦは、冷凍冷却温度範囲から上に逸脱している。この状態が長く維持されると、冷蔵室現在温度ＴＲが冷蔵冷却温度範囲を下に逸脱、即ち、冷蔵室下限温度ＴＲＬに達しない限り、冷蔵室用蒸発器６への冷媒供給が停止されず、冷凍室用蒸発器５のみに冷媒を流入させる積極的な冷凍室冷却が行われない。そのため、冷凍室現在温度ＴＦが長い時間冷凍冷却温度範囲を上に逸脱した状態が継続してしまい、当該冷凍室３の冷却不良を招来する。
【００７６】
そのため、冷却不良判定結果（iii）（ステップＳ１３）の場合、制御装置４０は、図５におけるステップＳ１９に進み、三方弁１７の開度を双方の蒸発器５、６に冷媒を供給する状態から、冷凍室用蒸発器５のみに選択的に冷媒を供給する冷凍室冷却を優先することとし、ステップＳ２０に進んで冷凍室優先冷却モードを実行する。
【００７７】
（５）優先冷却モード
ここで、図７のフローチャート及び図９、図１０のテーブルを参照して優先冷却モードについて説明する。優先冷却モードでは、上述したように、ステップＳ１８又はＳ１９において、選択的に冷媒を優先して供給する側に三方弁１７の開度が切り替えられている。図１４の場合における冷蔵室優先冷却モードでは、三方弁１７は冷蔵室用蒸発器６側に切り替えられ、図１５における冷凍室優先冷却モードでは、三方弁１７は、冷凍室用蒸発器５側に切り替えられている。
【００７８】
制御装置４０は、ステップＳ２１に進み、圧縮機１３のインバータ周波数モード制御に移行する。制御装置４０のメモリ２６には、予め優先冷却モードを行う場合における圧縮機１３の運転周波数がモード別に設定されたテーブルが記憶されている。一例として図９に、当該インバータ周波数モード制御のテーブルを示す。この場合、モードは０１〜１０まで保有しており、当該モード設定は、予めコントロールパネル２８に設けられたディップスイッチや、制御装置４０のメモリ２６に記憶されたプログラムのパラメータを変更することによって設定される。
【００７９】
モード０１では、冷凍室優先冷却モードで、圧縮機１３の運転周波数は当該圧縮機１３の下限周波数、冷蔵室優先冷却モードで、圧縮機１３の運転周波数は当該圧縮機１３の上限周波数を採用するように設定される。モード０２では、冷凍室優先冷却モードで、圧縮機１３の下限周波数、冷蔵室優先冷却モードで、圧縮機１３の下限周波数、モード０３では、冷凍室優先冷却モードで、圧縮機１３の下限周波数、冷蔵室優先冷却モードで、圧縮機１３の運転周波数はリニア制御、モード０４では、冷凍室優先冷却モードで、圧縮機１３の上限周波数、冷蔵室優先冷却モードで、圧縮機１３の上限周波数、モード０５では、冷凍室冷却優先モードで、圧縮機１３の上限周波数、冷蔵室優先冷却モードで、圧縮機１３の下限周波数、モード０６では、冷凍室優先冷却モードで、圧縮機１３の上限周波数、冷蔵室優先冷却モードで、圧縮機１３の運転周波数はリニア制御、モード０７では、冷凍室優先冷却モードで、圧縮機１３の運転周波数はリニア制御、冷蔵室優先冷却モードで、圧縮機１３の上限周波数、モード０８では、冷凍室優先冷却モードで、圧縮機１３の運転周波数はリニア制御、冷蔵室優先冷却モードで、圧縮機１３の下限周波数、モード０９では、冷凍室優先冷却モードで、圧縮機１３の運転周波数はリニア制御、冷蔵室優先冷却モードで、圧縮機１３の運転周波数はリニア制御とされる。
【００８０】
ここで、圧縮機１３の運転周波数のリニア制御とは、冷凍室優先冷却モードでは、制御装置４０が、冷凍室３の現在温度とＴＦ目標温度との偏差ｅに基づくＰＩＤ演算結果によって行う。具体的には、制御装置４０は、所定のサンプリング周期にて、冷凍室用温度センサ２９にて冷凍室３の庫内温度（冷凍室現在温度）ＴＦを検出する。
【００８１】
そして、制御装置４０は、検出した冷凍室現在温度ＴＦと、予めコントロールパネル２８にて設定されたＴＦ目標温度との偏差ｅに基づくＰＩＤ演算で制御量ＱＦを算出し、当該制御量ＱＦに基づいて圧縮機１３の周波数の操作量を決定し、周波数制御を行う。
【００８２】
冷蔵室優先冷却モードでは、制御装置４０が、冷蔵室４の現在温度とＴＲ目標温度との偏差ｅに基づくＰＩＤ演算結果によって行う。具体的には、制御装置４０は、所定のサンプリング周期にて、冷蔵室用温度センサ３０にて冷蔵室４の庫内温度（冷蔵室現在温度）ＴＲを検出する。
【００８３】
そして、制御装置４０は、検出した冷蔵室現在温度ＴＲと、予めコントロールパネル２８にて設定されたＴＦ目標温度との偏差ｅに基づくＰＩＤ演算で制御量ＱＲを算出し、当該制御量ＱＲに基づいて圧縮機１３の周波数の操作量を決定し、周波数制御を行う。
【００８４】
また、モード１０は、外気温度ＡＴを検出する外気温度センサ３２により検出された温度に基づき、それぞれの優先冷却モードにおける圧縮機１３の運転周波数を設定するものであり、外気温度ＡＴが５℃〜４０℃の範囲で５℃単位でそれぞれ冷凍室優先冷却モード用としてＨＦ１〜ＨＦ９が設定され、冷蔵室優先冷却モード用としてＨＲ１〜ＨＲ９が設定されている。
【００８５】
尚、各圧縮機の運転周波数ＨＦ１〜ＨＦ９、ＨＲ１〜ＨＲ９は、それぞれ任意に、下限周波数３０Ｈｚ〜上限周波数８０Ｈｚの間で設定可能とされている。一例として、外気温度ＡＴが低い方がより周波数が低く、外気温度ＡＴが高い方がより周波数が高くなるような傾向で設定されている。
【００８６】
通常、このインバータ周波数モード制御における設定は、冷却貯蔵庫１の冷凍室３の容積と、冷蔵室４の容積との比率や、各室内の設定温度、使用状況に対応して設定する。本実施例では、ステップＳ２１において、一例としてモード０８に設定する。そのため、当該優先冷却モードが冷凍室優先冷却モードである場合、圧縮機１３の運転周波数は、冷凍室３の現在温度とＴＦ目標温度との偏差ｅに基づくＰＩＤ演算により算出された制御量ＱＦに基づくリニア制御を行い、冷蔵室優先冷却モードである場合、圧縮機１３は下限周波数にて運転を行う。
【００８７】
その後、制御装置４０は、ステップＳ２２において、上記タイマカウンタＡをリセットしてステップＳ２３に進み、タイマ２７にてタイマカウンタＢをスタートさせる。そして、ステップＳ２４に進み、当該タイマカウンタＢが予めコントロールパネル２８にて所定の判定時間に達したか否かを判断する。
【００８８】
ここで、制御装置４０のメモリ２６には、予め優先冷却モードを行う場合における所定の判定時間Ｔが、一例として図１０のタイマテーブルに示すように、外気温度ＡＴに対応して冷凍室優先冷却モードと、冷蔵室優先冷却モード毎に記憶されている。
【００８９】
即ち、外気温度ＡＴを検出する外気温度センサ３２により検出された温度に基づき、それぞれの優先冷却モードにおける所定の判定時間Ｔを決定するものであり、外気温度ＡＴが５℃〜４０℃の範囲で５℃単位でそれぞれ冷凍室優先冷却モード用としてＴＦ１〜ＴＦ９が設定され、冷蔵室優先冷却モード用としてＴＲ１〜ＴＲ９が設定されている。
【００９０】
尚、各判定時間ＴＦ１〜ＴＦ９、ＴＲ１〜ＴＲ９は、それぞれ任意に、０〜９９分の間で設定可能とされている。一例として、外気温度ＡＴが低い方がより判定時間が短く、外気温度ＡＴが高い方がより判定時間が長くなるような傾向で設定されている。
【００９１】
そして、外気温度ＡＴと当該優先冷却モードの種類に応じて決定された判定時間ＴにタイマカウンタＢが達していない場合には、制御装置４０は、ステップＳ２５に進み、当該優先冷却モードとされている冷凍室又は冷蔵室（冷凍室優先冷却モードでは、冷凍室。冷蔵室優先冷却モードでは冷蔵室。）の温度が所定の冷却温度範囲を下に逸脱し、三方弁１７によって冷媒の流入を停止（サーモオフ）したか否かを判断する。
【００９２】
所定の判定時間Ｔ内に優先冷却モードとされている蒸発器５又は６への冷媒の流入を停止するサーモオフとなっていない場合には、制御装置４０は、ステップＳ２４に戻る。他方、所定の判定時間Ｔ内に優先冷却モードとされている蒸発器５又は６への冷媒の流入を停止し、他方の蒸発器６又は５への冷媒流入を開始した場合（但し、他方の室内も冷却温度範囲から上に逸脱していない場合には、圧縮機１３を停止する）には、冷却不良が解消されたものと判断して、ステップＳ２６に進み、タイマカウンタＢをリセットする。そして、ステップＳ２７に進み、上記インバータ周波数モードをリセットし、上記通常モード（ステップＳ１）に戻る。
【００９３】
また、ステップＳ２４において、外気温度ＡＴと当該優先冷却モードの種類に応じて決定された判定時間ＴにタイマカウンタＢが達した場合には、制御装置４０は、優先冷却モードとされている室内の温度が冷却温度範囲を下に逸脱する前であっても、ステップＳ２６に進み、タイマカウンタＢをリセットし、インバータ周波数モードをリセットし（ステップＳ２７）、上記通常モード（ステップＳ１）に戻る。
【００９４】
このように、制御装置４０は、両蒸発器５、６に冷媒を供給している状態が所定時間継続された場合に冷却不良判定を実行することにより、各室が著しい高負荷状態となっているか否かを適切に判別することが可能となる。
【００９５】
これにより、一方の室内が著しい高負荷状態となることで、両蒸発器５、６に冷媒を供給している状態を終了することができず、他方の室内の温度上昇をも招来してしまう不都合が生じていること、若しくは生じる傾向にあることを、早期に判定することができる。
【００９６】
そして、この冷却不良判定結果が冷凍室３の温度が冷凍冷却温度範囲に入っており、冷蔵室４の温度が冷蔵冷却温度範囲から上に逸脱していると判定されたとき（図１４の場合）、冷凍室用蒸発器５に優先して冷蔵室用蒸発器６に冷媒を供給する冷蔵室優先冷却モードを実行することにより、それまで室内温度が冷蔵冷却温度範囲から上に逸脱していた冷蔵室４の蒸発器６にのみ優先的に冷媒を供給することで、早期に冷蔵室４内の冷却不良を改善することが可能となる。
【００９７】
また、冷却不良判定において、冷蔵室４の温度が冷蔵冷却温度範囲に入っており、冷凍室３の温度が冷凍冷却温度範囲から上に逸脱していると判定されたとき（図１５の場合）、冷蔵室用蒸発器６に優先して冷凍室用蒸発器５に冷媒を供給する冷凍室優先冷却モードを実行することにより、それまで室内温度が冷凍冷却温度範囲から上に逸脱していた冷凍室３の蒸発器５にのみ優先的に冷媒を供給することで、早期に冷凍室３内の冷却不良を改善することが可能となる。
【００９８】
これにより、所定の冷却不良判定結果に基づき、冷却不良とされた室を優先的に冷却する優先冷却モードを実行することで、何れの室内をもそれぞれに設定された冷却温度範囲内に温度制御することができ、適切な温度環境を形成することが可能となる。
【００９９】
また、制御装置４０は、上述したように、冷凍室３又は冷蔵室４の温度が各冷却温度範囲から下に逸脱した場合、当該逸脱した室を冷却する蒸発器５又は６への冷媒供給を停止するサーモオフを行うことにより、当該蒸発器への冷媒供給を停止して、三方弁１７を切り換えることにより、冷却温度範囲から下に逸脱していない他方の室の蒸発器へのみ冷媒供給を供給することができる。
【０１００】
これにより、冷凍室３及び冷蔵室４の何れをも早期に冷却温度範囲の下限値まで冷却させることが可能となり、冷えすぎを防止した適切な冷却制御を実現することができる。
【０１０１】
また、本実施例では、制御装置４０は、各優先冷却モードが所定時間（判定時間Ｔ）継続して実行されたこと、又は、各優先冷却モードの実行中に冷凍室３又は冷蔵室４のうちの何れかの温度が冷却温度範囲から下に逸脱した（サーモオフした）ことの何れかが発生した場合、当該優先冷却モードを終了し、通常モードへ移行することから、何らかの原因により冷却不良が発生している冷凍室３又は冷蔵室４の蒸発器５又は６にのみ永続的に冷媒が供給され、他方の蒸発器に冷媒が供給されない不都合を解消することができる。これにより、冷却不良を緩和しつつ、他方の蒸発器への冷媒琉球をも可能とし、冷凍室３及び冷蔵室４内の適切な冷却制御を実現することができる。
【０１０２】
（６）冷却不良判定結果（iv）
一方、上記（２）の冷却不良判定において、図１６に示すように、冷蔵室現在温度ＴＲが冷蔵冷却温度範囲から上に逸脱し、冷凍室現在温度ＴＦが冷凍冷却温度範囲から上に逸脱している場合（何れもがそれぞれに対して設定された冷却温度範囲から上に逸脱している場合）には、冷凍室３及び冷蔵室４の両者が冷却不良となっているものと判断される。この状態が長く維持されると、冷凍室３及び冷蔵室４の両者が冷却不良となる時間が長期化することとなり、室内に貯蔵された品温上昇を招来する問題がある。
【０１０３】
この場合、制御装置４０は、図５のステップＳ２８に進み、各室に対してそれぞれ設定された目標温度との偏差を比較する。即ち、冷凍室用温度センサ２９にて検出された冷凍室現在温度ＴＦと、コントロールパネル２８にて設定されたＴＦ目標温度との冷凍室偏差ｅＦ（ＴＦ−ＴＦ目標温度）と、冷蔵室用温度センサ３０にて検出された冷蔵室現在温度ＴＲと、コントロールパネル２８にて設定されたＴＲ目標温度との冷蔵室偏差ｅＲ（ＴＲ−ＴＲ目標温度）を比較する。
【０１０４】
そして、制御装置４０は、ステップＳ２９に進み、三方弁１７の開度を双方の蒸発器５、６に冷媒を供給する状態から、一方、この場合、上記偏差ｅが小さい方の蒸発器５又は６のみに選択的に冷媒を供給して、偏差が小さい方の室内の冷却優先することとし、ステップＳ３０に進んで、偏差優先冷却モードを実行する。図１６の場合、冷凍室偏差ｅＦと冷蔵室偏差ｅＲとでは、冷凍室偏差ｅＦの方が小さいため、ここでは、冷凍室３の冷却を優先する場合を例に挙げて説明する。尚、冷凍室偏差ｅＦと冷蔵室偏差ｅＲとが同一であった場合には、予め決定しておいたどちらか一方、例えば、冷凍室３の優先冷却、若しくは、今回算出された偏差と、前回算出された偏差との差が大きい方（冷却速度が速い方）を優先して冷却するものとしても良い。
【０１０５】
（７）偏差優先冷却モード
ここで、図８のフローチャートを参照して偏差優先冷却モードについて説明する。偏差優先冷却モードでは、ステップＳ２９において、選択的に冷媒を優先して供給する側、この場合偏差が小さかった冷凍室用蒸発器５側に三方弁１７が切り換えられている。
【０１０６】
制御装置４０は、ステップＳ３１に進み、圧縮機１３のインバータ周波数モード制御に移行する。尚、当該偏差優先冷却モードにおけるインバータ周波数モード制御は、詳細は上述した如き優先冷却モードにおけるインバータ周波数モード制御と同様であるため、同様のテーブル（図９）を参照して圧縮機１３の運転周波数制御を行う。尚、詳細な説明は省略する。
【０１０７】
ここでは、上記と同様一例としてモード０８に設定されているため、偏差優先冷却モードで、冷凍室用蒸発器５を優先するため、圧縮機１３の運転周波数は、冷凍室３の現在温度とＴＦ目標温度との偏差ｅＦに基づくＰＩＤ演算により算出された制御量ＱＦに基づくリニア制御を行う。
【０１０８】
その後、制御装置４０は、ステップＳ３２において、上記タイマカウンタＡをリセットしてステップＳ３３に進み、タイマ２７にてタイマカウンタＢをスタートさせる。そして、ステップＳ３４に進み、当該タイマカウンタＢが予めコントロールパネル２８にて所定の判定時間Ｔに達したか否かを判断する。尚、この場合も所定の判定時間Ｔは、上記優先冷却モードにおけるタイマテーブル（図１０）を参照し、外気温度ＡＴに基づき優先する冷凍室３又は冷蔵室４毎に決定された判定時間を採用する。
【０１０９】
そして、外気温度ＡＴと当該偏差優先冷却モードの種類に応じて決定された判定時間ＴにタイマカウンタＢが達していない場合には、制御装置４０は、ステップＳ３５に進み、当該偏差優先冷却モードとされている偏差ｅが小さい室（この場合冷凍室３）の温度が所定の冷却温度範囲を下に逸脱し、三方弁１７によって冷媒の流入を停止（サーモオフ）したか否かを判断する。
【０１１０】
所定の判定時間Ｔ内に偏差優先冷却モードとされている偏差ｅが小さい方の蒸発器（この場合冷凍室用蒸発器５）への冷媒の流入を停止するサーモオフとなっていない場合には、制御装置４０は、ステップＳ３４に戻る。他方、所定の判定時間Ｔ内に偏差優先冷却モードとされている蒸発器（この場合冷凍室用蒸発器５）への冷媒の流入を停止し、他方の蒸発器（この場合冷蔵室用蒸発器６）への冷媒流入を開始した場合には、当該冷凍室３の冷却不良が解消されたものと判断して、ステップＳ３６に進み、タイマカウンタＢをリセットする。そして、ステップＳ３７に進み、上記インバータ周波数モードをリセットし、上記通常モード（ステップＳ１）に戻る。
【０１１１】
また、ステップＳ３４において、外気温度ＡＴと偏差優先冷却モードの種類に応じて決定された判定時間ＴにタイマカウンタＢが達した場合には、制御装置４０は、偏差優先冷却モードにて優先冷却とされている偏差ｅが小さい方（この場合冷凍室３）内の温度が冷凍冷却温度範囲を下に逸脱する前であっても、ステップＳ３８に進み、三方弁１７をこれまで偏差ｅが小さかった方の冷凍室用蒸発器５側から、偏差ｅが大きい方の冷蔵室用蒸発器６側に切り替える。
【０１１２】
制御装置４０は、ステップＳ３９に進み、圧縮機１３のインバータ周波数モード制御を継続し、この場合、冷媒を流す蒸発器が切り換えられたため、上記と同様にテーブル（図９）を参照して、圧縮機１３の運転周波数制御を行う。
【０１１３】
ここでは、上記と同様一例としてモード０８に設定されているため、偏差優先冷却モードで、冷蔵室用蒸発器５を優先するため、圧縮機１３の運転周波数は、圧縮機１３は下限周波数にて運転を行う。
【０１１４】
その後、制御装置４０は、ステップＳ４０において、上記タイマカウンタＢをリセットしてステップＳ４１に進み、タイマ２７にて別途、タイマカウンタＣをスタートさせる。そして、ステップＳ４２に進み、当該タイマカウンタＣが予めコントロールパネル２８にて所定の判定時間Ｔに達したか否かを判断する。尚、この場合も所定の判定時間Ｔは、上記タイマカウンタＢの場合と同様にタイマテーブル（図１０）を参照し、外気温度ＡＴに基づき優先する冷凍室３又は冷蔵室４毎に決定された判定時間を採用する。
【０１１５】
そして、外気温度ＡＴと当該偏差優先冷却モードの種類に応じて決定された判定時間ＴにタイマカウンタＣが達していない場合には、制御装置４０は、ステップＳ４３に進み、当該偏差優先冷却モードとされている偏差ｅが大きい室（この場合冷蔵室４）の温度が所定の冷却温度範囲を下に逸脱し、三方弁１７によって冷媒の流入を停止（サーモオフ）したか否かを判断する。
【０１１６】
所定の判定時間Ｔ内に偏差優先冷却モードとされている偏差ｅが大きい方の蒸発器（この場合冷蔵室用蒸発器６）への冷媒の流入を停止するサーモオフとなっていない場合には、制御装置４０は、ステップＳ４２に戻る。他方、所定の判定時間Ｔ内に偏差優先冷却モードとされている蒸発器（この場合冷蔵室用蒸発器６）への冷媒の流入を停止し、他方の蒸発器（この場合冷凍室用蒸発器５）への冷媒流入を開始した場合（但し、他方の室内も冷却温度範囲から上に逸脱していない場合には、圧縮機１３を停止する）には、当該冷蔵室４の冷却不良が解消されたものと判断して、ステップＳ４４に進み、タイマカウンタＣをリセットする。そして、ステップＳ３７に進み、上記インバータ周波数モードをリセットし、上記通常モード（ステップＳ１）に戻る。
【０１１７】
このように、制御装置４０は、両蒸発器５、６に冷媒を供給している状態が所定時間継続された場合に冷却不良判定を実行することにより、各室が著しい高負荷状態となっているか否かを適切に判別することが可能となる。
【０１１８】
これにより、一方の室内が著しい高負荷状態となることで、両蒸発器５、６に冷媒を供給している状態を終了することができず、他方の室内の温度上昇をも招来してしまう不都合が生じていること、若しくは生じる傾向にあることを、早期に判定することができる。
【０１１９】
そして、この冷却不良判定結果が、冷蔵室３及び冷凍室４の温度がそれぞれに対して設定された冷却温度範囲から上に逸脱していると判定されたとき（図１６の場合）、各室に対してそれぞれ設定された目標温度との偏差ｅが小さい方の蒸発器（この場合冷凍室用蒸発器５）に冷媒を優先して供給する偏差優先冷却モードを実行することにより、先ず初めに偏差の小さい方の蒸発器にのみ冷媒を優先供給して対応する室内の温度を冷却温度範囲内にまで冷却させることができる。
【０１２０】
これにより、早期に冷却温度範囲にまで冷却しやすい傾向の蒸発器のみに冷媒を優先して供給することで、当該室内の冷却不良を早期に改善することができる。そのため、例えば、一方の室内が著しい高負荷状態となることで、それに影響されて他方の室内をも冷却不良が生じている場合であっても、影響されて冷却不良となっている蒸発器にのみ優先的に冷媒供給することで、冷凍室３及び冷蔵室４が共に継続した冷却不良を生じる不都合を早期に解消することが可能となる。
【０１２１】
そして、偏差優先冷却モードを所定の判定時間Ｔ、継続して実行した場合、目標温度との偏差ｅが大きい方の蒸発器（図１６の場合冷蔵室用蒸発器６）に三方弁１７を切り換えて冷媒を優先供給することにより、目標温度との偏差ｅが小さい方の蒸発器（この場合冷凍室用蒸発器５）への冷媒の優先供給によって、対応する室内の温度が冷却温度範囲から下に逸脱する前であっても、所定時間経過後、他方の目標温度との偏差が大きい方の蒸発器（この場合冷蔵室用蒸発器６）のみへの冷媒の優先供給を実行することができる。
【０１２２】
これにより、偏差ｅが大きい方の蒸発器（この場合冷蔵室用蒸発器６）にも冷媒を優先供給することで対応する室内の温度を冷却温度範囲内にまで冷却させることができ、対応する室内の冷却不良を早期に改善させることができる。
【０１２３】
また、制御装置４０は、上述したように、冷凍室３又は冷蔵室４の温度が各冷却温度範囲から下に逸脱した場合、当該逸脱した室を冷却する蒸発器５又は６への冷媒供給を停止するサーモオフを行うことにより、何れか一方のみの室が該冷却温度範囲から下に逸脱した場合、当該蒸発器５又は６への冷媒供給を停止して、冷却温度範囲から下に逸脱していない他方の室の蒸発器６又は５へのみ冷媒供給を供給することができる。
【０１２４】
これにより、冷凍室３及び冷蔵室４の何れをも早期に冷却温度範囲の下限値まで冷却させることが可能となり、冷えすぎを防止した適切な冷却制御を実現することができる。
【０１２５】
また、偏差優先冷却モードの実行中に冷凍室３又は冷蔵室４のうちの何れかの温度が冷却温度範囲から下に逸脱した場合、当該偏差優先冷却モードを終了することにより、何らかの原因により冷却不良が発生している冷凍室３又は冷蔵室４の蒸発器５又は６にのみ永続的に冷媒が供給され、他方の蒸発器に冷媒が供給されない不都合を解消することができる。これにより、冷凍室３及び冷蔵室４内の適切な冷却制御を実現することができる。
【０１２６】
また、本実施例では、上述したように、制御装置４０により制御され、各蒸発器５、６のうちの何れか一方のみに選択的に冷媒を供給する状態と、双方の蒸発器５、６に同時に冷媒を供給する状態とを実現可能な三方弁１７を備え、蒸発器５、６に対応して設けられる減圧手段は、キャピラリチューブ１８、１９により構成されている。通常、各蒸発器５、６に流入する冷媒を制御する手段として絞り量を零を含めて制御可能な電子膨張弁を採用した場合、各蒸発器５、６への冷媒流入に偏りが発生し難く、一方の冷却負荷に影響されて他方が冷却不良となる不都合が生じにくい。しかし、本願実施例の如く、格別な制御が不要、故障等を生じないキャピラリチューブ１８、１９を減圧手段として採用した場合には、冷媒の蒸発温度が異なるため、冷凍室用蒸発器５側に液冷媒が偏り、冷蔵室用蒸発器６側にガス冷媒が偏ることで、冷蔵室用蒸発器６側が頻繁に乾いた状態となり、冷却の偏りが生じやすくなる。そのため、上述したような冷却不良判定を行い、当該冷却不良を解消する制御を行う本願発明が特に有効なものとなる。
【０１２７】
また、本実施例では、制御装置４０は、各室内の送風機７の故障や、冷蔵室用温度センサ２９や冷蔵室用温度センサ３０の故障、三方弁１７の固着等に基づく冷却不良が発生した場合には、従前と同様に、バックアップ制御を実行するものとする。
【符号の説明】
【０１２８】
Ｒ    冷却装置
１    冷却貯蔵庫
２    断熱箱体
３    冷凍室
４    冷蔵室
５    冷凍室用蒸発器
６    冷蔵室用蒸発器
７    冷蔵室用送風機
８、９  断熱扉
１２    機械室
１３    圧縮機
１４    凝縮器
１５    凝縮器用送風機
１６    冷媒回路
１７    三方弁（制御手段）
１８、１９    キャピラリチューブ
２１    冷却室
２２、２３  冷媒配管
２４    合流部
２５    吸込配管
２６    メモリ（記憶手段）
２７    タイマ（時限手段）
２８    コントロールパネル（入力手段）
２９    冷凍室用温度センサ（冷凍室温度検出手段）
３０    冷蔵室用温度センサ（冷蔵室温度検出手段）
３１    インバータ装置
３２    外気温度センサ
４０    制御装置（制御手段）
【図１】
0005637746.tif 000002
【図２】
0005637746.tif 000003
【図３】
0005637746.tif 000004
【図４】
0005637746.tif 000005
【図５】
0005637746.tif 000006
【図６】
0005637746.tif 000007
【図７】
0005637746.tif 000008
【図８】
0005637746.tif 000009
【図９】
0005637746.tif 000010
【図１０】
0005637746.tif 000011
【図１１】
0005637746.tif 000012
【図１２】
0005637746.tif 000013
【図１３】
0005637746.tif 000014
【図１４】
0005637746.tif 000015
【図１５】
0005637746.tif 000016
【図１６】
0005637746.tif 000017